(57)【要約】  本発明は、音響表面波で動作する１ポート共振器（１）関し、この１ポート共振器は、１つの第１のバスバー（６），１つの第２のバスバー（７），および複数の電極フィンガ（８）を有する１つのインターデジタル変換器（２）を備え、ここで当該インターデジタル変換器（２）の１つの励起領域（１０）おいて、当該電極フィンガ（８）は、縦方向（Ｌ）で交互に当該第１のバスバー（６）および当該第２のバスバー（７）と結合されており、ここで当該インターデジタル変換器（２）は１つの第１の畳み込み領域（１１）を備え、この第１の畳み込み領域では上記の複数の電極フィンガ（８）は、縦方向（Ｌ）で交互に上記の第１のバスバー（６）および上記の第２のバスバー（７）と結合されており、そしてこの第１の畳み込み領域は、上記の励起領域（１０）直接繋がっており、ここで上記の縦方向（Ｌ）で直接上記の励起領域に繋がっている上記の第１の畳み込み領域（１１）の電極フィンガ（１１８）および当該電極フィンガに直接隣接している上記の励起領域（１０）電極フィンガ（１０８）、同じバスバー（６，７）と結合している。【選択図】  図１
2017523642.tif 000002
【特許請求の範囲】
【請求項１】
音響表面波で動作する１ポート共振器（１）であって、
１つの第１のバスバー（６），１つの第２のバスバー（７），および複数の電極フィンガ（８）を有する１つのインターデジタル変換器（２）を備え、
前記インターデジタル変換器（２）の１つの励起領域（１０）において、前記電極フィンガ（８）は、縦方向（Ｌ）で交互に前記第１のバスバー（６）および前記第２のバスバー（７）と結合されており、
前記インターデジタル変換器（２）は１つの第１の畳み込み領域（１１）を備え、当該第１の畳み込み領域では複数の前記電極フィンガ（８）は、縦方向（Ｌ）で交互に前記第１のバスバー（６）および前記第２のバスバー（７）と結合されており、かつ当該第１の畳み込み領域は、前記励起領域（１０）に直接繋がっており、
前記縦方向（Ｌ）で直接前記励起領域（１０）に繋がっている前記第１の畳み込み領域（１１）の電極フィンガ（１１８）およびこれに直接隣接している前記励起領域（１０）の電極フィンガ（１０８）は、同じバスバー（６，７）と結合している、
ことを特徴とする１ポート共振器。
【請求項２】
請求項１に記載の１ポート共振器において、
前記１ポート共振器は、１つの第１の反射器（３）および１つの第２の反射器（４）を備え、前記インターデジタル変換器（２）は、当該第１の反射器と当該第２の反射器（３，４）との間に配設されており、
前記インターデジタル変換器（２）の前記第１の畳み込み領域（１１）は、直接前記第１の反射器（３）に繋がっており、または直接前記第２の反射器（４）に繋がっている、
ことを特徴とする１ポート共振器。
【請求項３】
前記第１の畳み込み領域（１１）は、少なくとも２つの電極フィンガ（８，１１８，１１８ｂ）を備えることを特徴とする、請求項１または２に記載の１ポート共振器。
【請求項４】
前記第１の畳み込み領域（１１）は、２〜５０の範囲の数の電極フィンガ（８，１１８，１１８ｂ）を備えることを特徴とする、請求項１乃至３のいずれか１項に記載の１ポート共振器。
【請求項５】
前記１ポート共振器は、１つの第２の畳み込み領域（１２）を備え、当該第２の畳み込み領域では、複数の前記電極フィンガ（８）は、縦方向（Ｌ）で交互に前記第１のバスバー（６）および前記第２のバスバー（７）と結合されており、かつ当該第２の畳み込み領域は、直接前記励起領域（１０）に繋がっており、縦方向（Ｌ）で直接前記励起領域（１０）に繋がっている前記第２の畳み込み領域（１２）の電極フィンガ（１２８）および当該電極フィンガに直接隣接している前記励起領域（１０）の電極フィンガ（１０８ｂ）は、同じバスバー（６，７）と結合されている、
ことを特徴とする、請求項１乃至４のいずれか１項に記載の１ポート共振器。
【請求項６】
前記第１の畳み込み領域（１１）および前記第２の畳み込み領域（１２）は、同数の電極フィンガ（８）を備えることを特徴とする、請求項５に記載の１ポート共振器。
【請求項７】
前記第１の畳み込み領域（１１）は、前記第２の畳み込み領域（１２）と異なる数の電極フィンガ（８）を備えることを特徴とする、請求項５に記載の１ポート共振器。
【請求項８】
前記１ポート共振器は、１つの第３の畳み込み領域を備え、当該第３の畳み込み領域では、前記電極フィンガは、縦方向（Ｌ）で交互に前記第１のバスバー（６）および前記第２のバスバー（７）と結合しており、かつ当該第３の畳み込み領域は、直接前記第１の畳み込み領域（１１）に繋がっており、縦方向（Ｌ）で前記第１の畳み込み領域（１１）に繋がっている前記第３の畳み込み領域（１３）の電極フィンガ（１３８）および当該電極フィンガに直接隣接する前記第１の畳み込み領域（１１）の電極フィンガ（１１８ｂ）は、同じバスバー（６，７）と結合されている、
ことを特徴とする、請求項１乃至７のいずれか１項に記載の１ポート共振器。
【請求項９】
前記１ポート共振器は、少なくとも第１の電極フィンガ（複数）および第２の電極フィンガ（複数）を備え、ここで当該第１の電極フィンガの幅と当該第２の電極フィンガの幅とは異なっていることを特徴とする、請求項１乃至８のいずれか１項に記載の１ポート共振器。
【請求項１０】
前記１ポート共振器は、少なくとも、直接隣接する電極の１つの第１のペアと、直接隣接する電極の１つの第２のペアとを備え、当該第１のペアの２つの電極フィンガの互いの間隔と、当該第２のペアの２つの電極フィンガの互いの間隔とは異なっていることを特徴とする、請求項１乃至９のいずれか１項に記載の１ポート共振器。
【請求項１１】
請求項１乃至１０のいずれか１項に記載の１ポート共振器において、
複数の前記電極フィンガ（８）は、それぞれ前記バスバー（６，７）の１つと結合している１つの端部と、それぞれ１つの自由端部とを備え、当該自由端部はそれぞれ１つの間隙に接しており、
前記第１のバスバー（６，７）と結合されている前記電極フィンガ（８）に対して、および／または前記第２のバスバーと結合されている電極フィンガ（８）に対して、この間隙の横断方向の位置はそれぞれ変化している、
ことを特徴とする１ポート共振器。
【請求項１２】
縦方向において、前記インターデジタル変換器（２）のメタライジング比が変化されている、ことを特徴とする、請求項１乃至１１のいずれか１項に記載の１ポート共振器。
【請求項１３】
複数の共振器がラダー型構造に互いに回路接続されているフィルタ構造であって、当該複数の共振器の少なくとも１つは、請求項１乃至１２のいずれか１項に記載の１ポート共振器であることを特徴とするフィルタ構造。
【発明の詳細な説明】
【技術分野】
【０００１】
本発明は、音響表面波（SAW=surface acoustic wave）で動作する１ポート共振器に関する。
【背景技術】
【０００２】
１ポート共振器は１つのインターデジタル変換器を備え、このインターデジタル変換器は、多くの場合周期的な走査格子（Raster）状に配設された、互いに噛み合う電極フィンガを有する、１つの圧電基板上に配設された２つのバスバーを備える。
【０００３】
このインターデジタル変換器の電極に印加される電気信号は、その信号周波数がフィンガパターンの周期に相当する場合に、音響表面波を励起する。上記の１ポート共振器は、さらに２つの反射器を備え、ここで上記のインターデジタル変換器は、両側でそれぞれ１つの反射器に接している。電気信号がこの１ポート共振器の電極（複数）に印加されると、定在的な音響表面波が形成される。
【０００４】
音響表面波で動作する１ポート共振器は、特にリアクタンスフィルタの構築の際に使用される。リアクタンスフィルタの重要なパラメータは、挿入損失であり、この挿入損失は、このフィルタを通過する信号の通過帯域における最大の減衰を表している。この挿入損失が大きくなると、このフィルタの伝送特性は悪化する。これより出来る限り小さな挿入損失が求められている。
【０００５】
このため上記の１ポート共振器は、リアクタンスフィルタにおける使用に適合するために、その共振周波数で出来る限りδ関数状のアドミッタンスの実部を備えていなければならない。
【発明の概要】
【課題を解決するための手段】
【０００６】
したがって本発明の課題は、音響表面波で動作する１つの１ポート共振器を提示することであり、この１ポート共振器は、たとえば急峻なアドミッタンス特性を備え、そしてこれにより１つのリアクタンスフィルタにおける使用に極めて適している。
【０００７】
この課題は請求項１に記載の１ポート共振器によって解決される。
【０００８】
本発明は、音響表面波で動作する１ポート共振器を提示し、この１ポート共振器は、１つの第１のバスバー，１つの第２のバスバー，および電極フィンガ（複数）を有する１つのインターデジタル変換器を備え、ここで当該インターデジタル変換器の１つの励起領域において、当該電極フィンガは、縦方向で交互に当該第１のバスバーおよび当該第２のバスバーと結合されており、ここで当該インターデジタル変換器は１つの第１の畳み込み領域（umgeklappten Bereich）を備え、この第１の畳み込み領域では電極フィンガ（複数）は、縦方向で交互に上記の第１のバスバーおよび上記の第２のバスバーと結合されており、そしてこの第１の畳み込み領域は、上記の励起領域に直接繋がっており、ここで縦方向で直接上記の励起領域に繋がっている上記の第１の畳み込み領域の電極フィンガおよびこの電極フィンガに直接隣接している上記の励起領域の電極フィンガは、同じバスバーと結合している。
【０００９】
上記の「直接隣接している」なる記載は、ここでは２つの互いに直接隣接している電極フィンガの間に他の電極フィンガが全く配設されていないということを意味している。さらに、「１つの領域が直接他の１つの領域に繋がっている」なる表現は、これらの領域の間に他の領域が全く配設されていないことを意味している。
【００１０】
上記の縦方向は、上記のインターデジタル変換器に励起された音響表面波の伝播方向として定義されている。この縦方向に対して直角な方向が横断方向である。上記の電極フィンガは、横断方向に延伸している。
【００１１】
上記の第１および第２のバスバーに交流電圧が印加されると、上記の励起領域には音響表面波が励起される。これによりこの励起領域の上記の第１の畳み込み領域への移行部で、２つの電極フィンガが同じバスバーと結合されており、上記の第１および第２のバスバーに交流電圧が印加されると、これらの電極フィンガは、この第１の畳み込み領域において音響表面波を励起し、この音響表面波は、上記の励起領域で励起された波に対して位相シフトを有している。すなわち上記の第１の畳み込み領域における励起は、上記の励起領域における励起を打ち消すように作用する。
【００１２】
理想的な１ポート共振器は、アドミッタンスの実部における周波数空間において、δ関数となっており、そしてその虚部においてはこれに対応するヒルベルト変換されたものとなっている。
【００１３】
この理想的な特性のフーリエ変換は時間領域において定数となる。どのような実際の１ポート共振器でも、しかしながらこの時間領域は有限である。このためこのような重みづけのない、有限の変換器は、周波数領域においてδ関数の代わりにｓｉｎ（ｘ）／ｘの特性を示す。
【００１４】
内部の反射により、このｓｉｎ（ｘ）／ｘの特性にはさらに反射関数が加わるが、この反射関数は本発明によっては変化されない。
【００１５】
本発明は、典型的なサブピークを小さくし、そしてこれによって理想的な特性（δ関数）へのより良い近似が達成されるように、上記のｓｉｎ（ｘ）／ｘの特性を周波数領域で修正する。
【００１６】
この修正は、出来る限りｓｉｎ（ｘ）／ｘ形状の特性が時間領域でフーリエ変換されたものが矩形となるように、そしてこれによって上記のサブピークを小さくすることに対し理想的に適合するように行われる。
【００１７】
上記のｓｉｎ（ｘ）／ｘ形状の特性への時間領域における一次近似は、第１の畳み込み領域によってその励起が上記の励起領域に対して相対的に１８０°位相シフトされることによって行われる。
【００１８】
このため上記の第１の畳み込み領域は、この領域が以下のように構築され得ることから、「畳み込み領域」と呼ばれている。まず、インターデジタル変換器から説明するが、このインターデジタル変換器では、上記の励起領域はこのインターデジタル変換器の全長に渡って延伸している。ここで上記の励起領域の電極フィンガ（複数）は、この励起領域の一部において「畳み込まれる」、すなわちこれらの電極フィンガは、それぞれ別のバスバーと結合される。これにより、この励起領域の部分から、上記の第１の畳み込み領域が形成される。
【００１９】
さらに本発明による１ポート共振器は、１つの第１の反射器および１つの第２の反射器を備え、ここで上記のインターデジタル変換器はこの第１の反射器と第２の反射器との間に配設されている。このインターデジタル変換器の畳み込み領域は、直接この第１の反射器に繋がっていてよく、または直接この第２の反射器に繋がっていてよい。この観点において、「直接繋がっている」ということは、上記のインターデジタル変換器第１の畳み込み領域とそれぞれの反射器との間に、上記のインターデジタル変換器の他のどの領域も縦方向に配設されていないことを意味している。
【００２０】
これに対応して、上記のインターデジタル変換器の第１の畳み込み領域は、このインターデジタル変換器の縁部領域に配設されていてよい。この第１の畳み込み領域を上記の反射器（複数）の１つに直接繋がるように配設することにより、ｓｉｎ（ｘ）／ｘの曲線を備える１つの励起パターンが得られ、ここでこの曲線は、１つのサブピークの後で、たとえば第２のサブピークの後で切断されている。この第２のサブピークの後での切断は、望ましいｓｉｎ（ｘ）／ｘの曲線への非常に良好な近似となり、こうして周波数空間において理想的なアドミッタンス関数（δ関数）への良好な近似が得られる。
【００２１】
好ましくは、上記の第１の畳み込み領域は、少なくとも２つの電極フィンガを備える。具体的には、上記の第１の畳み込み領域は、少なくとも３つの電極フィンガを備える。この第１の畳み込み領域は、２〜５０の範囲の数の電極フィンガを備えてよく、好ましくは３〜４０の範囲の数の電極フィンガを備えてよい。ここで上記の第１の畳み込み領域におけるこれらの電極フィンガの数は、上記のインターデジタル変換器の他のパラメータに依存して選択され、たとえばこれらの電極フィンガの総数，これらの電極フィンガの幅，接続順序，これらの電極フィンガの縦方向の位置（すなわち音響波の伝播方向に沿った位置），ならびにアパーチャ（すなわち並んで配設されている異なる電極の活性な重なり領域の長さ）に依存して選択される。
【００２２】
さらに、本１ポート共振器は、１つの第２の畳み込み領域を備え、この第２の畳み込み領域では、電極フィンガ（複数）は、縦方向で交互に上記の第１のバスバーおよび上記の第２のバスバーと結合されており、そしてこの第２の畳み込み領域は、上記の励起領域に直接繋がっており、ここで縦方向で直接上記の励起領域に繋がっている上記の第２の畳み込み領域の電極フィンガおよびこの電極フィンガに直接隣接している上記の励起領域の電極フィンガは、同じバスバーと結合されていてよい。これに対応して、この第２の畳み込み領域は、縦方向で、上記の第１の畳み込み領域の反対側の上記の励起領域側に配設されている。こうしてこの励起領域には、両側でそれぞれ１つの畳み込み領域が接続している。
【００２３】
上記の第２の畳み込み領域も、交流電圧の印加の際に音響表面波を励起し、この音響表面波は、上記の励起領域における音響表面波に対して位相シフトされている。  こうしてこの第２の畳み込み領域は、縦方向における励起パターンの補正に寄与し、そしてこれにより最終的には、本１ポート共振器の共振周波数でのアドミッタンスの実部を増大する。
【００２４】
上記の第１の畳み込み領域および上記の第２の畳み込み領域は、同数の電極フィンガを備えてよい。代替として、上記の第１の畳み込み領域は、上記の第２の畳み込み領域と異なる数の電極フィンガを備えてよい。ここでこれら２つの畳み込み領域の各々に対する好ましい電極フィンガの数の選択は、本１ポート共振器の周波数特性を決定する複数のパラメータに依存する。
【００２５】
具体的には、上記の第２の畳み込み領域は、少なくとも２つの電極フィンガを備えてよい。さらにこの第２の畳み込み領域は、いくつかの実施形態においては、少なくとも３つの電極フィンガを備えてよい。好ましくはこの第２の畳み込み領域は、２〜５０の数の電極フィンガを備え、好ましくは３〜４０の電極フィンガを備える。
【００２６】
本１ポート共振器の伝達関数は、上記のインターデジタル変換器自体が無反射ではなく、むしろ１つの反射器を形成することによって決定的に影響を受ける。具体的には、上記の電極フィンガの各々は、励起された表面音響波の一部を、縦方向ならびにこの縦方向に対して逆の方向に、反射する。
【００２７】
さらに、本１ポート共振器は、１つの第３の畳み込み領域を備えて良く、この第３の畳み込み領域では、電極フィンガ（複数）は、縦方向で交互に上記の第１のバスバーおよび上記の第２のバスバーと結合しており、そしこの第３の畳み込み領域は、直接上記の第１の畳み込み領域に繋がっており、ここで、縦方向で直接上記の第１の畳み込み領域に繋がっている第３の畳み込み領域の電極フィンガおよびこの電極フィンガに直接隣接する第１の畳み込み領域の電極フィンガは、同じバスバーと結合されている。
【００２８】
以上により、縦方向で上記の励起領域にまず第１の畳み込み領域が繋がり、そして次に上記の第３の畳み込み領域が繋がっており、ここでこの第３の畳み込み領域は、この第１の畳み込み領域に対向した畳み込み電極を備える。ここでこの第３の畳み込み領域は、上記の第１の畳み込み領域によって励起された音響表面波の補正を行う。この第３の畳み込み領域も、少なくとも２つの電極フィンガを備えてよい。さらに本１ポート共振器は、任意の複数のさらなる畳み込み領域を備えてよく、これらの畳み込み領域は、それぞれ互いに繋がっていてよい。この際それぞれの畳み込み領域内の電極フィンガは、縦方向で、上記の第１のバスバーおよび上記の第２のバスバーと交互に結合されていてよく、そしてさらに上記の２つの直接繋がっている領域の直接隣接している電極は、同じバスバーと結合されていてよい。
【００２９】
上述したように、上記の畳み込み領域（複数）によって、本１ポート共振器のアドミッタンスの好ましい形態が実現される。さらに加えて、このアドミッタンスを形成するために、上記の畳み込み領域の方法を他の方法と組み合わせることが可能である。
【００３０】
具体的には、本１ポート共振器は、少なくとも第１の電極フィンガ（複数）および第２の電極フィンガ（複数）を備え、ここで第１の電極フィンガの幅と第２の電極フィンガの幅とは異なっている。電極フィンガ（複数）の幅の設計によって、１ポート共振器の好ましいアドミッタンスを実現できることが知られている。この方法は、所望のアドミッタンスをさらに良好に実現するために、上記の領域の畳み込みと組み合わせることができる。
【００３１】
代替としてまたは補完として、本１ポート共振器は、少なくとも、直接隣接する電極の１つの第１のペアと、直接隣接する電極の１つの第２のペアとを備えてよく、ここでこの第１のペアの２つの電極フィンガの互いの間隔と、この第２のペアの２つの電極フィンガの互いの間隔とは異なっている。これに応じて、縦方向でのこれらの電極フィンガの位置決めは、個々の電極フィンガに対して、周期的な走査格子からずれていてよい。以上により上記のアドミッタンスも所望のように操作することができる。
【００３２】
上記の電極フィンガ（複数）は、それぞれ上記のバスバー（複数）の１つと結合している１つの端部と、それぞれ１つの自由端部とを備え、この自由端部はそれぞれ１つの間隙に接している。横断方向において、この間隙に１つのスタブ状フィンガが続いていてよく、このスタブ状フィンガは、それぞれ別のバスバーと結合されており、そして音響波の励起には寄与しない。ここで上記の第１のバスバーと結合されている電極フィンガ（複数）に対して、および／または上記の第２のバスバーと結合されている電極フィンガ（複数）に対して、この間隙の横断方向の位置はそれぞれ変化していてよい。これは隣接しているフィンガの重なり長における変化をもたらし、この重なり長は、アパーチャとも呼ばれている。δ関数へのさらに良好な近似を有するアドミッタンスが実現されるように、上記のインターデジタル変換器の励起パターンを、いわゆるアパーチャ重みづけによって操作することができる。
【００３３】
さらに、縦方向において、上記のインターデジタル変換器のメタライジング比が変化されてよい。ここでこのメタライジング比は、インターデジタル電極パターンの１つの電極フィンガの幅と、この幅と前後に続いた電極フィンガの間の間隔との合計との比として定義される。
【００３４】
本発明は、反射機能に関するものではないので、このメタライジング比はさらに任意に実現することができる。したがって全ての電極フィンガが必ずしも、いわゆる標準フィンガとして形成されていなくともよい。これらの標準フィンガは、共振周波数の半分の波長の半分に相当する間隔を有している。むしろこれらの電極フィンガのいくつかは、異なって実装されていてもよい。たとえば、この共振器はいわゆるスプリットフィンガ（複数）を備えてよく、これらのスプリットフィンガでは、互いの間隔が波長の１／４に相当しており、これらのスプリットフィンガは２つ毎に１つの標準フィンガと置き換えられる。ここでこれらの２つのフィンガは、それぞれ同じバスバーに結合されていてよい。
【００３５】
もう１つの態様によれば、本発明は、複数の共振器がラダー型構造に互いに回路接続されている１つのフィルタ構造に関し、ここでこれらの共振器の少なくとも１つは、少なくとも１つの畳み込み領域を有する上述の１ポート共振器（複数）の１つとなっている。このフィルタ構造は、１つのリアクタンスフィルタであってよい。
【００３６】
ここでこのフィルタ構造は、１つの信号経路入力部および１つの信号経路出力部を有する１つの信号経路と、この信号経路に直列に回路接続されている２つの基本回路素子とを備える。これら２つの基本回路素子の各々は、３つの共振器と１つのリアクタンス素子とを備えてよい。これらの共振器の１つは、１つのいわゆる直列共振器であり、ここでは上記の信号経路に回路接続されていてよい。第２の共振器（第１の並列共振器）は、この基本回路素子の信号入力部での１つの電極と接続されていてよく、これに対し第３の共振器（第２の並列共振器）は、この基本回路素子の信号出力部での１つの電極と接続されていてよい。これらの並列共振器のそれぞれの他の電極は、１つの接続配線部を介して電気的に互いに接続されていてよい。この接続配線部は上記のリアクタンス素子を介してグラウンドと接続されていてよい。１つのこのような基本回路素子は、フィルタ回路の信号経路において、帯域通過フィルタとして作用する。
【００３７】
以上によりこのフィルタ構造は、１つのラダー型に類似した構造を備えることができる。ラダー型構造を有するフィルタ回路は、直列に回路接続された基本回路（Grundgliedern）（複数）から構築されており、これらの基本回路は、実質的に１つの「直列分岐」における１つの共振器と１つの「並列分岐」における１つの共振器とから成っている。ここでこの直列共振器の特性通過周波数は、この並列共振器の阻止周波数とほぼ一致している。以上により、１つのこのような基本回路は１つの帯域通過フィルタを形成する。この通過帯域の減衰特性の右側スロープは、上記の直列共振器の実際の構成によってほぼ決定され、これに対し、左側のスロープは、上記の並列共振器の構成によってほぼ決定される。このような基本回路から成るラダー型フィルタ回路は良く知られている。
【００３８】
ここで、上述した１ポート共振器は、並列共振器として、および／または直列共振器として、このような１つの基本回路に使用することができる。
【図面の簡単な説明】
【００３９】
以下では、図を参照して、本発明を詳細に説明する。 
【図１】１つの１ポート共振器の１つの第１の実施形態例を示す。
【図２】この１ポート共振器の様々な実施形態例に対するアドミッタンスの実部が対数表示されている図を示す。
【図３】２つの１ポート共振器を備える、１つのラダー型構造の基本回路の挿入損失を示す。
【図４】１つの１ポート共振器の１つの第２の実施形態例を示す。
【図５】１つの１ポート共振器の１つの第３の実施形態例を示す。
【００４０】
ここでこれらの図は、概略的なものであり。寸法が正確なものではない。たとえば、これらの図においては、上記のインターデジタル変換器の電極フィンガの数は、分り易く図示するために、大幅に低減されている。
【００４１】
図１は、１つの１ポート共振器１の１つの第１の実施形態例を示す。この１ポート共振器１は１つのインターデジタル変換器２を備える。さらにこの１ポート共振器１は、１つの第１の反射器３および１つの第２の反射器４を備える。縦方向Ｌにおいて、このインターデジタル変換器２は、第１の反射器３と上記の第２の反射器４との間に配設されている。さらに本１ポート共振器１は、１つの圧電基板５を備え、この圧電基板上には、インターデジタル変換器２および２つの反射器３，４が配設されている。この圧電基板５は、たとえばニオブ酸リチウムまたはタンタル酸リチウムを含んでよい。
【００４２】
このインターデジタル変換器２は、１つの第１のバスバー６および１つの第２のバスバー７を備える。さらにこのインターデジタル変換器２は、音響表面波の励起のために用いられる電極フィンガ（複数）８を備える。さらに加えてこのインターデジタル変換器２は、音響波の励起には寄与しないスタブフィンガ（複数）９を備える。電極フィンガ８およびスタブフィンガ９の各々は、第１のバスバー６かまたは、第２のバスバー７と結合されている。この際この第１のバスバー６およびこれと結合している電極フィンガ８は、１つの櫛状の構造を形成し、これらはインターデジタル変換器１の１つの第１の電極となっている。これに対応してこの第２のバスバー８およびこれと結合している電極フィンガ８は、１つの第２の櫛状の構造を形成し、これらはインターデジタル変換器１の１つの第２の電極となっている。これらの２つの櫛状の構造は、互いに噛み合っている。
【００４３】
インターデジタル変換器２は、１つの励起領域１０を備える。この励起領域１０においては、電極フィンガ（複数）８が交互に第１のバスバー６および第２のバスバー７と結合している。この励起領域１０は、大部分の電極フィンガ８を有するインターデジタル変換器２の領域である。
【００４４】
さらにこのインターデジタル変換器２は、１つの第１の畳み込み領域１１および１つの第２の畳み込み領域１２を備える。縦方向Ｌにおいて、第１の反射器３にはまず第１の畳み込み領域１１が接続される。この第１の畳み込み領域１１には励起領域１０が接続される。さらにこの励起領域１０には、第２の畳み込み領域１２が接続される。この第２の畳み込み領域１２には第２の反射器４が接続される。
【００４５】
第１の畳み込み領域１１および第２の畳み込み領域１２の各々において、縦方向Ｌには電極フィンガ（複数）８が交互に第１のバスバー６および第２のバスバー７と結合している。ここで第１の畳み込み領域１１は、縦方向Ｌで励起領域１０の１つの電極フィンガ１０８と直接隣接している、１つの電極フィンガ１１８を備える。これら２つの電極フィンガ１０８，１１８は、第１のバスバー６と結合している。これはこれらのバスバー６，７への交流電圧の印加の際に、励起領域１０と第１の畳み込み領域１１とにおいてそれぞれ互いに位相シフトされた音響表面波の励起をもたらす。第１の畳み込み領域１１においては、いわゆる音響表面波が励起され、この音響表面波は、励起領域１０に励起される音響表面波を打ち消すように作用して、この励起領域１０に励起される波の補正を行う。
【００４６】
さらに上記の２つの電極フィンガ１０８，１１８は、同じバスバーに結合されているので、交流電圧の印加の際にこれらの電極フィンガの間には全く電界が形成されず、そしてこれによりこれらの電極の間にも圧電性の励振も生じない。
【００４７】
図１に示す実施形態例では、インターデジタル変換器２の全部の電極フィンガ８は、互いに同間隔となっている。ここでこれらの電極フィンガ８は、１つの周期的な走査格子に配設されている。これらの電極フィンガ８の互いの間隔は、この１ポート共振器１の共振周波数の半波長に相当している。
【００４８】
さらに、縦方向Ｌで第２の畳み込み領域１２の１つの電極フィンガ１２８に対し直接隣接している励起領域の電極フィンガ１０８ｂ、およびこの第２の畳み込み領域の電極フィンガ１２８は、共に第１のバスバー６と結合されている。これに応じてこの第２の畳み込み領域１２においても、励起領域１０において励起される音響表面波に対して位相シフトされている音響表面波が励起される。さらに、上記の２つの電極フィンガ１０８ｂ，１２８は、同じバスバーに結合されているので、さらにこれらの電極フィンガの間にも電界は全く形成されず、そしてこれによりこれらの電極フィンガの間でも圧電性の励振は生じない。
【００４９】
第１および第２の畳み込み領域１１，１２は、ここに示す実施形態例においては、同数の電極フィンガ８を備えている。
【００５０】
図２は、この１ポート共振器１のアドミッタンスへの畳み込み領域１１，１２の作用を明瞭とする図１を示す。ここでは図１に示す１ポート共振器が想定されており、ここで上記の２つの反射器３，４はそれぞれ５０個の反射器格子バー（Reflektorstreifen）を備え、インターデジタル変換器１は、全部で１８１個の電極フィンガを備える。
【００５１】
図２は、横軸に周波数が記載され、さらに縦軸には、アドミッタンスの実部Ｒｅ（Ｙ）が対数表示で記載された図を示す。記載されている参照曲線Ｋｒｅｆは、全く畳み込み領域を備えない、１つの１ポート共振器に対するアドミッタンスを示す。他の曲線は、１つの第１および第２の畳み込み領域１１，１２を有する１ポート共振器（複数）１に対するアドミッタンスを示し、ここでこれら２つの畳み込み領域１１，１２は、それぞれ３，４，５，７，１１，１５，１９，２５，あるいは２９個の電極フィンガ８を備える。例として、Ｋ４およびＫ２９の符号の付いた曲線が示されているが、これらはそれぞれ４個あるいは２９個の電極フィンガ８を有する、２つの畳み込み領域１１，１２を備える１ポート共振器１に対応し、ここでこれらの符号の添え字は、これらの畳み込み領域１１，１２の電極フィンガ８の数を示している。
【００５２】
畳み込み領域１１，１２を有する１ポート共振器１では、そのアドミッタンスの特性が、共振周波数の近傍で顕著に急峻であることが、図２から明瞭に見て取れる。これらの畳み込み領域１１，１２は、この共振周波数の近傍でこのアドミッタンスの実部の増大をもたらす。
【００５３】
図３は、１つのラダー型フィルタ構造の１つの基本回路（Grundglied）の挿入損失Ｓ１２を示す。この基本回路は、１つの直列共振器および１つの並列共振器から構成されている。ここでは、１つの直列共振器および１つの並列共振器にはそれぞれ、１５１個の電極フィンガ８と、各々１０個の反射器格子バー（Reflektorstreifen）を有する２つの反射器３，４とで構成される，１つのインターデジタル変換器２を備える、１つの１ポート共振器が想定されている。
【００５４】
図３には３つの曲線Ｋ１０，Ｋ２０，およびＫ４０が示されており、これらは、上記の並列共振器が１つの励起領域と、これに接続された、それぞれ１０，２０，または４０個の電極フィンガを有する２つの畳み込み領域とを備える場合の基本回路の挿入損失をそれぞれ示している。曲線Ｋ０は、上記の並列共振器が励起領域のみを備え、畳み込み領域を全く備えない場合の基本回路の挿入損失を示す、参照曲線である。
【００５５】
横軸に周波数が記載され、縦軸には、上記のラダー型のフィルタ構造のそれぞれの基本回路に対する挿入損失Ｓ１２が記載されている。上記の並列共振器が畳み込み領域を有する１つの１ポート共振器によって構成される基本回路に対する下側の通過帯域スロープは、上記の並列共振器が１つの畳み込み領域も無い１つの１ポート共振器によって構成される基本回路を示す参照曲線Ｋ０におけるよりも、顕著に急峻に降下することが明瞭に見て取れる。
【００５６】
以上により、この挿入損失特性の左側のスロープが、ほぼこの並列共振器の構成によって決定されるので、特に本発明による１ポート共振器を、１つのラダー型構造の並列共振器として使用することは、魅力的である。
【００５７】
図４は、本１ポート共振器１の１つの第２の実施形態例を示す。図４に示す１ポート共振器は、１つの第１の畳み込み領域１１のみを備え、この第１の畳み込み領域は、インターデジタル変換器１０の励起領域１０と、第１の反射器３との間に配設されている。さらにこの励起領域１０は、縦方向Ｌで直接第２の反射器４に接続している。
【００５８】
図５は、１つの１ポート共振器１の１つの第３の実施形態例を示す。さらに、図５に示す１ポート共振器１は、第１の畳み込み領域１１および第２の畳み込み領域１２への追加として、１つの第３の畳み込み領域１３を備える。縦方向Ｌにおいて、第３の畳み込み領域１３，第１の畳み込み領域１１，励起領域１０，第２の畳み込み領域１２，および第２の反射器４がこの順序で第１の反射器３に接続している。第１，第２，第３の畳み込み領域１１，１２，１３は、それぞれ１つの互いに異なる数の電極フィンガ８を備える。
【００５９】
縦方向Ｌで直接この第１の畳み込み領域１１に接続している、第３の畳み込み領域１３の電極フィンガ１３８、およびこの電極フィンガと直接隣接している第１の畳み込み領域１１の電極フィンガ１１８ｂは、それぞれ第２のバスバー７と結合されている。
【符号の説明】
【００６０】
１  ：  １ポート共振器
２  ：  インターデジタル共振器
３  ：  第１の反射器
４  ：  第２の反射器
５  ：  圧電基板
６  ：  第１のバスバー
７  ：  第２のバスバー
８  ：  電極フィンガ
９  ：  スタブフィンガ
１０  ：  励起領域
１１  ：  第１の畳み込み領域
１２  ：  第２の畳み込み領域
１３  ：  第３の畳み込み領域
１０８  ：  励起領域の電極フィンガ
１０８ｂ：  励起領域の電極フィンガ
１１８  ：  第１の畳み込み領域の電極フィンガ
１１８ｂ：  第１の畳み込み領域の電極フィンガ
１２８  ：  第２の畳み込み領域の電極フィンガ
１３８  ：  第３の畳み込み領域の電極フィンガ
Ｌ      ：  縦方向
【図１】
2017523642.tif 000003
【図２】
2017523642.tif 000004
【図３】
2017523642.tif 000005
【図４】
2017523642.tif 000006
【図５】
2017523642.tif 000007
【国際調査報告】
2017523642.tif 000008
2017523642.tif 000009
2017523642.tif 000010
2017523642.tif 000011
2017523642.tif 000012
2017523642.tif 000013
2017523642.tif 000014
2017523642.tif 000015
2017523642.tif 000016
2017523642.tif 000017
2017523642.tif 000018
2017523642.tif 000019